(57)【要約】    【課題】  操作部材の回転を抑制することができると共に操作部の組立作業性を向上することができる電子機器を提供する。    【解決手段】  電子機器における操作部１０は、プリント基板１１と、プリント基板１１上に配置されたゴム製の保持部材１２と、保持部材１２上に配置され、フランジ１３ａを有する操作部材１３と、プリント基板１１と協働して保持部材１２及び操作部材１３を狭持する筐体１４と、プリント基板１１及び保持部材１２間に配置された金属ドーム１５とを備える。保持部材１２にはフランジ１３ａと係合する筒形状部１２ａが形成されている。【選択図】      図１
2007026953.tif 000002
【特許請求の範囲】
【請求項１】
プリント基板と、操作者により操作される操作部材と、前記操作部材を保持すべく前記プリント基板上に配置された保持部材と、前記プリント基板と協働して前記保持部材及び前記操作部材を狭持する筐体とを備える電子機器において、前記操作部材はその外周部において前記保持部材及び前記筐体の少なくとも一方と係合することを特徴とする電子機器。
【請求項２】
前記操作部材はその外周部において前記保持部材と係合することを特徴とする請求項１記載の電子機器。
【請求項３】
前記保持部材は前記外周部と係合する筒形状部を有することを特徴とする請求項１又は２記載の電子機器。
【請求項４】
前記筒形状部はその内側に突出する凸形状部を有することを特徴とする請求項１乃至３のいずれか１項に記載の電子機器。
【請求項５】
前記筐体は前記保持部材及び前記操作部材間に形成された溝に挿入されるリブを有することを特徴とする請求項１乃至４のいずれか１項に記載の電子機器。
【請求項６】
前記操作部材はその外周部において前記筐体と係合することを特徴とする請求項１記載の電子機器。
【請求項７】
前記筐体は前記外周部と係合するリブを有することを特徴とする請求項６記載の電子機器。
【請求項８】
前記プリント基板及び前記保持部材間に配置された金属ドームを備えることを特徴とする請求項１乃至７のいずれか１項に記載の電子機器。
【請求項９】
前記保持部材は導電ゴムで形成されていることを特徴とする請求項１乃至８のいずれか１項に記載の電子機器。
【発明の詳細な説明】
【技術分野】
【０００１】
本発明は、電子機器に関し、特に、押しボタン等の操作部材を有する電子機器に関する。
【背景技術】
【０００２】
従来より、コストの観点から、押しボタン等のユーザが操作する操作部材が導電ゴムで形成された電子機器がある。この導電ゴムで形成された操作部材が押されると、押された操作部材を介してプリント基板上の接点パターンが導通し、操作部材が押されたか否かを検知することができる。
【０００３】
しかしながら、ユーザが操作する操作部材までが導電ゴムで形成されていると外観が悪くなり、品位に欠けるという問題があった。
【０００４】
そこで、操作部材を樹脂で形成すると共に保持部材を導電ゴムで形成することが考えられるが、樹脂で形成された操作部材に導電ゴムで形成された保持部材を接着するためには特殊な接着剤が必要となりコストアップの要因となっていた。斯かるコストアップを防止すべく、図６に示すような電子機器が提案されている。
【０００５】
図６は、従来の電子機器における操作部の構成を概略的に示す断面図である。
【０００６】
図６において、電子機器は、プリント基板６１と、プリント基板６１上に配置され、導電ゴムにより形成された保持部材６２と、保持部材６２上に配置され、保持部材６２における筒形状部６２ａに圧入されるボス６３ａを有する操作部材６３と、これらプリント基板６１、保持部材６２、及び操作部材６３を収容する筐体６４とから成る操作部６０を備える。
【０００７】
この操作部６０は、ボス６３ａが筒形状部６２ａに圧入されることにより操作部材６３が保持部材６２により仮保持され、保持部材６２及び操作部材６３がプリント基板６１及び筐体６４により狭持され、操作部材６３が押されると、保持部材６２における接点部６２ｂを介してプリント基板６１上の接点パターン６１ａが導通する構成となっている（例えば、特許文献１参照）。
【特許文献１】実開平０６−２８９５５号公報
【発明の開示】
【発明が解決しようとする課題】
【０００８】
しかしながら、この操作部６０は、単に、ボス６３ａが筒形状部６２ａに圧入されることにより操作部材６３が保持部材６２に仮保持されているに過ぎないので、ユーザが操作部材６３を回転しようとすると容易に回転してしまい、特に、操作部材６３が上下左右の４方向（十字方向）の操作をすべく表面上に指標を有する場合には、ユーザの誤操作を招いてしまうという問題があった。
【０００９】
さらに、保持部材６２及び操作部材６３がプリント基板６１及び筐体６４により狭持されるまでは、ボス６３ａが筒形状部６２ａに圧入されることにより操作部材６３が保持部材６２に仮保持されているに過ぎないので、操作部材６３が保持部材６２から外れてしまうという問題があった。
【００１０】
本発明の目的は、操作部材の回転を抑制することができると共に操作部の組立作業性を向上することができる電子機器を提供することにある。
【課題を解決するための手段】
【００１１】
上記目的を達成するために、請求項１記載の電子機器は、プリント基板と、操作者により操作される操作部材と、前記操作部材を保持すべく前記プリント基板上に配置された保持部材と、前記プリント基板と協働して前記保持部材及び前記操作部材を狭持する筐体とを備える電子機器において、前記操作部材はその外周部において前記保持部材及び前記筐体の少なくとも一方と係合することを特徴とする。
【発明の効果】
【００１２】
以上詳述したように、請求項１記載の電子機器によれば、操作部材はその外周部において保持部材及び筐体の少なくとも一方と係合するので、操作部材の回転を抑制することができると共に操作部の組立作業性を向上することができる。
【発明を実施するための最良の形態】
【００１３】
以下、本発明の実施の形態を図面を参照しながら説明する。
【００１４】
図１は、本発明の第１の実施の形態に係る電子機器における操作部の構成を概略的に示す断面図であり、図２は図１の操作部１０の構成を概略的に示す斜視図である。
【００１５】
図１及び図２において、電子機器における操作部１０は、プリント基板１１と、プリント基板１１上に配置されたゴム製の保持部材１２と、保持部材１２上に配置され、フランジ１３ａを有する操作部材１３と、プリント基板１１と協働して保持部材１２及び操作部材１３を狭持する筐体１４と、プリント基板１１及び保持部材１２間に配置された金属ドーム１５とを備える。
【００１６】
保持部材１２にはフランジ１３ａ（操作部材１３の外周部）と係合する筒形状部１２ａが形成されている。また、保持部材１２及び操作部材１３は、プリント基板１１及び筐体１４間に挟み込まれて保持される。さらに、保持部材１２の筒形状部１２ａにはその内側に突出する凸形状部１２ｂが設けられており、この凸形状部１２ｂは、操作部材１３と保持部材１２との仮組時に、操作部材１３が保持部材１２から外れるのを防止する。
【００１７】
操作部材１３が押し下げられると、保持部材１２に貼り付けられた金属ドーム１５も押し下げられ、プリント基板１１上に設けられた接点パターン１１ａが金属ドーム１５を介して導通する。これにより、操作部材１３の押し下げ操作が検知される。
【００１８】
筐体１４に設けられた回転防止リブ１４ａは筒形状部１２ａ及び操作部材１３間に形成されたキー溝１３ｂに挿入されている。
【００１９】
本実施の形態によれば、操作部材１２はフランジ１３ａが筒形状部１２ａと係合するので、操作部材１３の回転を抑制することができると共に操作部１０の組立作業性を向上することができる。
【００２０】
本実施の形態によれば、回転防止リブ１４ａはキー溝１３ｂに挿入されているので、操作部材１３に回転方向の強い力が加わった場合であっても操作部材１３が回転するのを防止することができる。
【００２１】
本実施の形態では、保持部材１２にゴムを用い、プリント基板１１との接点部に金属ドーム１５を用いているが、これに限定されるものではなく、保持部材１２に導電性ゴム又は導電印刷等を施した非導電性ゴムを用いて金属ドーム１５を設けない構成としてもよい。なお、非導電性ゴムにおける導電印刷等はプリント基板１１と保持部材１２との接点部に施されている。
【００２２】
本実施の形態では、回転防止リブ１４ａを筐体１４に設けているが、これに限定されるものではなく、回転防止リブ１４ａが筐体１４に脱着可能な別部品であってもよい。
【００２３】
図３は、本発明の第２の実施の形態に係る電子機器における操作部の構成を概略的に示す断面図であり、図４は、図３の操作部３０における操作部材３３を取り除いた構成を概略的に示す斜視図であり、図５は、図３の操作部３０の構成を概略的に示す上面図である。
【００２４】
図３、図４、及び図５において、電子機器における操作部３０は、プリント基板３１と、プリント基板３１上に配置された保持部材３２と、保持部材３２上に配置された操作部材３３と、プリント基板３１と協働して保持部材３２及び操作部材３３を狭持する筐体３４と、プリント基板３１及び保持部材３２間に配置された金属ドーム３５とを備える。
【００２５】
操作部材３３はリブ３３ａを有しており、このリブ３３ａが筐体３４に設けられた２つのリブ３４ａ，３４ｂ（図４）間に係合されている。
【００２６】
本実施の形態によれば、操作部材３３はリブ３３ａが筐体３４に設けられた２つのリブ３４ａ，３４ｂ間に係合されているので、操作部材３３に回転方向の強い力が加わった場合であっても操作部材３３が回転するのを防止することができる。
【００２７】
また、操作部材３３の底面部に設けたボス（不図示）と、該ボスに対向するように保持部材３２に設けた孔（不図示）とを係合させたり、リブ３３ａに設けたキー溝（不図示）と、該キー溝に対向するように保持部材３２に設けた凸形状（不図示）とを係合させたりして、操作部材３３及び保持部材３２間で操作部材３３の回転を抑制するような構成であってもよい。
【図面の簡単な説明】
【００２８】
【図１】本発明の第１の実施の形態に係る電子機器における操作部の構成を概略的に示す断面図である。
【図２】図１の操作部の構成を概略的に示す斜視図である。
【図３】本発明の第２の実施の形態に係る電子機器における操作部の構成を概略的に示す断面図である。
【図４】図３の操作部における操作部材を取り除いた構成を概略的に示す斜視図である。
【図５】図３の操作部の構成を概略的に示す上面図である。
【図６】従来の電子機器における操作部の構成を概略的に示す断面図である。
【符号の説明】
【００２９】
１０  電子機器
１１  プリント基板
１２  保持部材
１２ａ  筒形状部
１３  操作部材
１３ａ  フランジ
１４  筐体
１５  金属ドーム
【図１】
2007026953.tif 000003
【図２】
2007026953.tif 000004
【図３】
2007026953.tif 000005
【図４】
2007026953.tif 000006
【図５】
2007026953.tif 000007
【図６】
2007026953.tif 000008